(57)【要約】  本体部（１０）と、本体部の正面に設けられた表示部（１１）と、本体部の正面側に設けられた操作部（１２）と、本体部の下方に設けられ、本体部を支持する支持部（２０Ｌ、２０Ｒ）を備え、前記支持部は、本体部の左側面に接続される第１支持部（２０Ｌ）と、本体部の右側面に接続される第２支持部（２０Ｒ）を含み、前記支持部は、前記本体部の下方、第１支持部の右方、第２支持部の左方で囲まれた空間が存在するように設けられる表示装置とする。
2012086308.tif 000002
【特許請求の範囲】
【請求項１】
本体部と、
本体部の正面に設けられた表示部と、
本体部の正面側に設けられた操作部と、
本体部の下方に設けられ、本体部を支持する支持部を備え、
前記支持部は、
本体部の左側面に接続される第１支持部と、
本体部の右側面に接続される第２支持部を含み、
前記支持部は、前記本体部の下方、第１支持部の右方、第２支持部の左方で囲まれた空間が存在するように設けられることを特徴とする表示装置。
【請求項２】
前記空間は、少なくとも車椅子の一部の侵入を許すものである、請求項１に記載の表示装置。
【請求項３】
前記操作部は、表示部の前面に設けられた透光性のタッチパネルである、請求項１に記載の表示装置。
【請求項４】
それぞれの支持部は、下方が相対的に重いことを特徴とする、請求項１に記載の表示装置。
【請求項５】
前記本体部の上方に設けられ、表示装置の駆動電力を発電する少なくとも一つの太陽電池を備えたことを特徴とする請求項１に記載の表示装置。
【発明の詳細な説明】
【技術分野】
【０００１】
本発明は、画像を表示する表示装置に関する。
【背景技術】
【０００２】
近年、デジタルサイネージと呼ばれる、屋外等に配置され、広告や様々な情報を表示する大型の表示装置が普及しつつある（特許文献１、２など）。また、近年これらの表示装置にタッチパネルやＲＦＩＤ（例えば、Ｆｅｌｉｃａ）による操作部を備えたものも普及している。また、車椅子利用者を配慮した構造を有する各種機器（特許文献３など）が、普及している。
【先行技術文献】
【特許文献】
【０００３】
【特許文献１】特開２００９−２９４２８４号公報
【特許文献２】特開２００９−２９６１０５号公報
【特許文献３】特開２００７−１６４４６７号公報
【発明の概要】
【発明が解決しようとする課題】
【０００４】
しかしながら、特許文献１、２のような表示装置では、車椅子の前輪部分、又は足置き部分が表示画面又は表示画面下部の筺体に接触するので、車椅子で接近することが困難である。車椅子利用者が操作部を操作するには、車椅子の方向を９０度変更する必要があり、顔を横に向けながらの操作が必要で不便である。
【課題を解決するための手段】
【０００５】
本発明に係る表示装置は、
本体部と、
本体部の正面に設けられた表示部と、
本体部の正面側に設けられた操作部と、
本体部の下方に設けられ、本体部を支持する支持部を備え、
前記支持部は、
本体部の左側面に接続される第１支持部と、
本体部の右側面に接続される第２支持部を含み、
前記支持部は、前記本体部の下方、第１支持部の右方、第２支持部の左方で囲まれた空間が存在するように設けられることを特徴とする。
【図面の簡単な説明】
【０００６】
【図１】は、表示装置１の前方斜視図である。
【図２】は、表示装置１の後方斜視図である。
【図３】は、表示装置１の断面図であって、車椅子の利用者の操作時の状態を示す図である。
【図４】は、表示装置１上に太陽電池を設けたときの前方斜視図である。
【発明を実施するための形態】
【０００７】
以下、本発明の実施の一形態である表示装置１について、図面を参照して説明する。図１はその前方斜視図であり、図２は後方斜視図である。
【０００８】
図１を参照して、表示装置１は、本体部１０と、２つの支持部２０Ｌ，２０Ｒと、支脚部３１Ｌ，３２Ｌ，３１Ｒ，３２Ｒを備える。本体部１０は直方体状である。支持部２０Ｌ，２０Ｒは、本体部１０の側面１０Ｌ、側面１０Ｒにそれぞれ接するように設けられ、本体部１０を支持する。脚部３１Ｌ及び３２Ｌは支持部２０Ｌの下面側に、脚部３１Ｒ及び３２Ｒは支持部２０Ｒの下面側に、それぞれ設けられ、支持部２０Ｌ，２０Ｒをそれぞれ支える。本体部１０及び支持部２０Ｌ，２０Ｒは、腐食に強いステンレス製である。これにより、高い耐候性と長寿命化を実現できる。また、本体部１０は、内部に塵が侵入することを抑えることができる構造である。さらに、本体部１０及び支持部２０Ｌ，２０Ｒは、速い風速にも耐える堅牢な構造であり、地震や水害に耐え得る。
【０００９】
本体部１０は、画像を表示する表示部１１と、本体部１０の正面１０Ｆに設けられ表示部１１を視認可能にするための窓部１２と、表示装置１の正面側に存在する物体を検出する検出部１３と、表示装置１の利用者が所有する携帯端末と通信する通信部１４と、音を出力するスピーカ１５を備える。
【００１０】
また、表示部１１の裏面側には表示装置１の動作を制御する制御装置１６が設けられる。ここで、制御装置１６は、テレビジョン装置の一般的な動作制御を行うものとは異なり、いわゆるデジタルサイネージに特有の制御を行うためのものであり、例えば専用の制御ボードや、パソコン等で構成される。
【００１１】
また、図示していないが、本体部１０は内部を冷却する冷却装置（送風を行うファン等）を備えても良い。
【００１２】
表示部１１は、例えば液晶表示装置などから成る。なお、図１では明確化のため、表示部１１の画像が表示される面に、ハッチングを付している。窓部１２は、例えばガラス等、透明な部材から成り、ＬＣＤパネルを外部からの衝撃、あるいは水、埃等から保護する目的で設けられる。また、表示部１１の前面側にはタッチパネルが設けられる。制御装置１６は、例えば、利用者が触れたタッチパネル上の位置に応じた画像を、表示部１１に表示させるよう制御する。また、制御装置１６は、例えば、利用者がタッチパネルに触れた時に音を出力させるようスピーカ１５を制御する。
【００１３】
検出部１３は、例えば焦電センサやイメージセンサ等、物体を検出可能なセンサからなり、表示装置１の正面側における人の有無などを検出する。制御装置１６は、検出部１３による検出結果に応じて、表示部１１やスピーカ１５等の制御を行う。
【００１４】
例えば検出部１３によって、所定時間人が検出されない場合、表示部１１の表示をＯＦＦにしたり、表示部１１のバックライトの輝度を下げたりする。また検出部１３によって人が検出された場合、表示部１１の表示をＯＮにしたり、バックライトの輝度を上げたり、音声を出力するようスピーカ１５を制御したりする。
【００１５】
通信部１４は、ＲＦＩＤ等の近距離通信を行うものであり、利用者の携帯端末等と通信できる。例えば、利用者が携帯端末を通信部１４に近接させたとき、制御装置１６は、通信部１４と携帯端末とでデータ送受信ができるよう通信部１４を制御する。
【００１６】
例えば図３に示すように、車いすの利用者は、本体部１０の正面１０Ｆ側に設けられた窓部１２や通信部１４に向けて手を伸ばし、操作を行うことができる。もちろん、健常者でも同様である。
【００１７】
支持部２０Ｌ，２０Ｒは、下方の内部に、おもり２１Ｌ，２１Ｒを備える。これにより、支持部２０Ｌ，２０Ｒの重心を下方に設定することができ、表示装置１の転倒を防止できる。
【００１８】
また、支持部２０Ｌ，２０Ｒの鉛直方向の長さは、本体部１０の鉛直方向の長さよりも長く、これにより、本体部１０の下方、支持部２０Ｌの右方、支持部２０Ｌの左方で囲まれた空間が形成される。
【００１９】
また、このようにして形成された空間には、車椅子の足の部分が侵入できる（図３参照）。従来のように、本体部１０が地面近傍まで延びる態様だと車椅子の足の部分が当たってしまい、車いすの利用者は表示部１１に接近することが難しいが、本実施形態の表示装置１はこれを可能としている。つまり、車椅子の利用者Ｗは、顔や体を本体部１０の正面１０Ｆに向けたままでも、手が窓部１２（タッチパネル）や通信部１４に届くので、表示装置１に対する操作ができる。そのため、車椅子の利用者Ｗが、車椅子の方向を９０度変更したり、顔を横に向けながら操作したりする必要が無くなる。
【００２０】
また、本体部１０（表示部１１など）は地面から高い位置に設けられるため、水害などによる浸水の影響を受けにくい。従って、災害発生時でも本実施形態の表示装置は情報の表示を継続することができ、表示装置１は災害対応の表示装置としても有用である。
【００２１】
また、通常の表示装置のように設置面から直立した本体部に表示部が設けられたものと異なり、本実施形態では本体部１０の下方が開放されているので、背後の景色が見える形態となり、視覚的圧迫感が少なく、前面投影面積が小さい分景観適合性が向上する。
【００２２】
図４に示す表示装置は、表示装置１の上方に設置台５０を設けたものであり、設置台５０の上面に太陽電池４１Ａ、４１Ｂ、４１Ｃ及び４１Ｄが設置される。また、設置台５０の中心部分には、第１アンテナＡ１及び第２アンテナＡ２が設置される。
【００２３】
太陽電池４１Ａ〜４１Ｄは、太陽光を受光して発電を行う。発電により得られた電力は表示装置１の駆動に用いられる。第１アンテナＡ１は、例えば通常時に表示部１１に表示させるコンテンツ（地域情報コンテンツや広告情報コンテンツなど）の放送波を受信するためのアンテナである。第２アンテナＡ２は、例えば災害発生時に表示部１１に表示させる公共放送を受信するためのアンテナである。
【００２４】
設置台５０は、前面側が下になるよう、地面に対して傾斜した態様で設置される。
【００２５】
水害発生時（集中豪雨や、地震後の津波等）には電線が断線して商用電源からの供給が受けられなくなり、表示部１１による表示が行えなくなる場合があるが、図４に示す表示装置によれば、太陽電池で発電した電力により表示を継続できる。
【００２６】
以上、本発明における実施の形態について説明したが、本発明の範囲はこれに限定されるものではなく、発明の主旨を逸脱しない範囲で種々の変更を加えることができる。
【図１】
2012086308.tif 000003
【図２】
2012086308.tif 000004
【図４】
2012086308.tif 000005
【図３】
2012086308.tif 000006
【手続補正書】
【提出日】平成25年1月18日(2013.1.18)
【手続補正１】
【補正対象書類名】特許請求の範囲
【補正対象項目名】全文
【補正方法】変更
【補正の内容】
【特許請求の範囲】
【請求項１】
本体部と、
本体部の正面に設けられた表示部と、
本体部の正面側に設けられた操作部と、
本体部の下方に設けられ、本体部を支持する支持部を備え、
前記支持部は、
本体部の左側面に接続される第１支持部と、
本体部の右側面に接続される第２支持部を含み、
前記支持部は、前記本体部の下方、第１支持部の右方、第２支持部の左方で囲まれた空間が存在するように設けられ、
前記空間は、少なくとも車椅子の一部の侵入を許すものであり、
前記操作部は、表示部の前面に設けられた透光性のタッチパネルであり、
それぞれの支持部は、下方が相対的に重いことを特徴とする表示装置。
【請求項２】
前記本体部の上方に設けられ、表示装置の駆動電力を発電する少なくとも一つの太陽電池を備えたことを特徴とする請求項１に記載の表示装置。
【国際調査報告】
2012086308.tif 000007
2012086308.tif 000008
2012086308.tif 000009
2012086308.tif 000010
2012086308.tif 000011
2012086308.tif 000012
2012086308.tif 000013